(57)【要約】【課題】複数の導電端子が同側に固定され、小さい寸法を有するオーディオコネクタを提供すること。【解決手段】本考案のオーディオコネクタは、オーディオコネクタの長手方向に沿って延在して相手コネクタを収納するための収納スロットが形成された絶縁性本体と、固定部と、該固定部から外向きに延在する半田接続部と、を有し、且つ絶縁性本体の同側に固定される複数の導電端子と、を備えることを特徴とする。また、上記導電端子は、収納スロットに向かって突出して相手コネクタに接触するための第１接触部が設けられる弾力部を有する一対の信号端子を含むことを特徴とする。【選択図】図３
0003129004.tif 000002
【実用新案登録請求の範囲】
【請求項１】
オーディオコネクタであって、
前記オーディオコネクタの長手方向に沿って延在して相手コネクタを収納するための収納スロットが形成された絶縁性本体と、
固定部と、該固定部から外向きに延在する半田接続部と、を有し、且つ前記絶縁性本体の同側に固定される複数の導電端子と、
を備えることを特徴とするオーディオコネクタ。
【請求項２】
前記導電端子は、前記収納スロットに向かって突出して前記相手コネクタに接触するための第１接触部が設けられる弾力部を有する一対の信号端子を含むことを特徴とする、請求項１に記載のオーディオコネクタ。
【請求項３】
前記絶縁性本体は、
前記収納スロットを囲む頂壁と、
底壁と、
互いに対向する第１側壁と第２側壁と、を有し、
前記絶縁本体には、前記頂壁と前記底壁とを貫通し、信号端子の弾力部を挿入する一対の定位孔が第１側壁に近付く第１側に形成され、
前記頂壁には、前記信号端子の固定部を収納する第１挿入スロットが前記第１側に形成され、
前記定位孔と前記第１収納スロットから上向きに挿入された一対の前記信号端子は、前記収納スロットの前記第１側に固定されることを特徴とする、請求項２に記載のオーディオコネクタ。
【請求項４】
前記導電端子は、一対の検出端子を含み、
前記頂壁の内表面は、
前記収納スロットの前記第１側に近付く第１溝と、
前記第１溝に隣接する第２溝と、が形成され、
前記一対の検出端子は、
前記第１溝に挿入される弾力端子と、
前記第２溝に挿入される保持端子と、を含み、
前記オーディオコネクタの長手方向に沿って延在する前記第１溝と前記第２溝から上向きに延在する検出端子は、前記収納スロットの前記第１側に固定されることを特徴とする、請求項３に記載のオーディオコネクタ。
【請求項５】
前記保持端子の固定部には、突出ビームが設けられ、
前記弾力端子には、前記保持端子の突出ビームに接触するか或いは離れる弾力ビームが設けられることを特徴とする、請求項４に記載のオーディオコネクタ。
【請求項６】
前記オーディオコネクタは、相手コネクタを固定するための当接部が設けられる固定端子を、有し、
前記第２側壁は、ドーム状に形成され、前記固定端子を収納する第２挿入スロットが形成されることを特徴をとする、請求項４に記載のオーディオコネクタ。
【請求項７】
前記絶縁性本体は、
前壁と、
後壁と、
定位孔が形成され、前記前壁から前記収納スロットに対して直角に延在し、前記第１側に位置する突出部と、を含み、
前記収納スロットは、前記前壁と前記後壁を貫通し、
前記検出端子は、後壁に近付くことを特徴をとする、請求項４に記載のオーディオコネクタ。
【考案の詳細な説明】
【技術分野】
【０００１】
本考案は、相手コネクタを接続して、オーディオ信号を伝送するために用いられるオーディオコネクタに関するものである。
【背景技術】
【０００２】
従来技術のオーディオコネクタとして、特許文献１に開示されたオーディオコネクタが知られ、このオーディオコネクタは、収納スロットと対向する第１側壁と第２側壁とを含む絶縁性本体と、絶縁性本体に固着される複数の信号端子と、を有する。該複数の信号端子は、それぞれ絶縁性本体の第１、第２側壁に固着されて、収納スロットに露出する。相手コネクタが該収納スロットに挿入される時、信号端子を接触させて信号を伝送できる。
【特許文献１】台湾実用新案第Ｍ２４８０７２号明細書
【特許文献２】米国特許第５８９３７６７号明細書
【考案の開示】
【考案が解決しようとする課題】
【０００３】
特許文献１に示すオーディオコネクタの第１、第２側壁は、信号端子を挿入するために所定の厚さを有する必要がある。これにより、オーディオコネクタは、大きい寸法を有する。従って、オーディオコネクタを製作する費用は高い。
【０００４】
そこで、本考案は、上述の従来技術の問題を鑑み、小さい寸法を有し、製作費用を低めるオーディオコネクタを提供することを目的とする。
【課題を解決するための手段】
【０００５】
本考案のオーディオコネクタは、長手方向に沿って延在して相手コネクタを収納するための収納スロットが形成された絶縁性本体と、固定部及び該固定部から外向きに延在する半田接続部を有する複数の導電端子と、を備える。該等導電端子は、絶縁性本体の第１側に固定される。
【考案の効果】
【０００６】
従来の技術に比較して、本考案は以下の効果を有する。複数の導電端子が絶縁性本体の同側に固定されることによって、絶縁性本体の第１側に対向する第２側はの厚さを薄くすることができる。オーディオコネクタは占有空間が狭く、かつ製作費用が安い。
【考案を実施するための最良の形態】
【０００７】
以下、この考案の実施の形態を添付図面を参照して説明する。
【０００８】
図１乃至図３を参照すると、相手コネクタ２００を接続するオーディオコネクタ１００は、絶縁性本体１と、一対の信号端子２と、一対の検出端子３と、固定端子４と、を備える。
【０００９】
絶縁性本体１は、頂壁１０と、頂壁１０に対向する底壁１１と、前壁１２と、前壁１２に対向する後壁１３と、絶縁性本体１の第１側に位置して階段状に形成される第１側壁１５と、ドーム状の第２側壁１４と、前壁１２からオーディオコネクタの長手方向に直角な横方向に沿って延在して第１側壁１５のそばに位置する突出部１７と、該等壁１０、１１、１４、１５と、によって囲まれてオーディオコネクタの長手方向に沿って延在する収納スロット１６と、を含む。該絶縁性本体１の第１側には、頂壁１０と底壁１１を貫通する一対の矩形の定位孔１０１が形成される。底壁１１の第１側には、対応する定位孔１０１を貫通する一対の第１挿入スロット１１１が形成される。頂壁１０の内表面の第１側には、長手方向に沿って延在して収納スロット１６を貫通する第１溝１６１と、第２溝１６２と、が、形成される。第１溝１６１は、第２溝１６２に対して、第１側壁１５に近付く。前壁１２には、前記収納スロット１６を貫通する円形の開口部１２１が形成される。後壁１３の上部には、長手方向に沿って延在して後壁１３を貫通する第３溝１３１が形成される。第２側壁１４には、固定端子４を挿入する第２挿入スロット１４１が形成される。突出部１７には、円状の定位孔１７１が形成される。
【００１０】
各信号端子２は、複数の凸状部片２１１を設けた固定部２１と、固定部２１の一端から外向きに延在する半田接続部２２と、第１接触部２４を設けた弾力部２３と、固定部２１の他端と弾力部を連接する連接部２５と、を有する。一体に形成した固定部２１と、弾力部２３と、連接部２５と、は、実質的に、Ｕ字形状に構成される。
【００１１】
一対の検出端子３は、弾力端子３１と、保持端子３２と、を備える。弾力端子３１は、複数の凸状部片３１２を設けた固定部３１１と、固定部３１１の一端から折り曲げた弾力ビーム３１４と、半田接続部３１５と、を有する。弾力ビーム３１４には、ドーム状の第２接触部３１４１が設けられる。
【００１２】
保持端子３２は、固定部３２１と、固定部３２１から前向きに突出する突出ビーム３２３と、実質的にＺ字形状の折り曲げ部３２２と、を有する。折り曲げ部３２２の末端には、半田接続部３２４が設けられる。
【００１３】
固定端子４は、ドーム状の当接部４１と、当接部４１の両端から突出する一対の挿入部４２と、を含む。
【００１４】
図１乃至図５に示すように、該オーディオコネクタ１００を取り付ける時、一対の信号導電端子２は、絶縁性本体１に実装される。各信号端子２の弾力部２３は、上向きに定位孔１０１に挿入されるとともに、固定部２１は、対応する第１挿入スロット１１１に嵌め込まれる。信号端子２の第１接触部２４は、収納スロット１６に向かって突出する。半田接続部２２は、第１挿入スロット１１１から外向きに延在する。弾力端子３１は、第１溝部１６１に挿入され、保持端子３２は、第２溝部１６２に挿入される。半田接続部３２４，３１５は、第３溝から外向きに延在する。保持端子３２の半田接続部３２４は、弾力端子３１の半田接続部３１５に対して、後壁１３に近付く。弾力端子３の弾力ビーム３１４は、保持端子３２の突出ビーム３２３に接触するとともに、第２接触部３１４１が収納スロット１６に向かって突出する。固定端子４は、絶縁性本体１の第２挿入スロット１４１に挿入される。固定端子４の当接部４１は、収納スロット１６に向かって突出する。信号端子２の凸状部片２１１と弾力端子３１の複数の凸状部片３１２と、は、絶縁性本体１に係合する。これにより、該オーディオコネクタ１００は一体に形成される。
【００１５】
図４及び図５に示すように、前記相手コネクタ２００が、オーディオコネクタ１００の開口部１２１から、収納スロット１６に挿入された時、前記信号端子２と検出端子３は、収納スロット１６の第１側に位置する。相手コネクタ２００は、挿入される過程で、信号端子２の弾力部２３を押圧して第１接触部２４と接触する。これにより、相手コネクタ２００が信号端子２に接触することによって信号を伝送する。同時に、固定端子４の当接部４１は、相手コネクタ２００に押圧され、相手コネクタ２００を所定位置に固定する。相手コネクタ２００が所定の位置に到着した時、弾力端子３の第２接触部３１４１が相手コネクタ２００に押圧されることによって、保持端子３２の突出ビーム３２３に接触した弾力ビーム３１４は、該突出ビーム３２３を離れる。該検出端子３によって、相手コネクタ２００を挿入するか或いは挿入しないことを、検出できる。
【００１６】
他の実施形態でも、固定端子４を設けなくとも、該オーディオコネクタ１００を製作できる。
【００１７】
図５に示すように、挿入した一対の信号端子２と、検出端子３と、は、絶縁性本体１の同側に位置する。これにより、該同側で対向する第２側壁１４の厚さを薄くすることができる。
【００１８】
以上、本考案について、最良の実施の形態を参照して詳細に説明したが、実施形態はあくまでも例示的なものであり、これらに限定されるものではない。また前記の説明は、本考案に基づきなし得る細部の修正或は変更など、いずれも本考案の実用新案登録請求の範囲に属するものである。
【図面の簡単な説明】
【００１９】
【図１】本考案のオーディオコネクタの組合せ斜視図である。
【図２】本考案のオーディオコネクタの他の組合せ斜視図である。
【図３】本考案のオーディオコネクタの分解斜視図である。
【図４】図１に示すオーディオコネクタのＩＶ―ＩＶ線で切断した断面視図である。
【図５】相手コネクタが挿入されたオーディオコネクタの断面視図である。
【符号の説明】
【００２０】
１  絶縁性本体
２  信号端子
３  検出端子
４  固定端子
１０  頂壁
１１  底壁
１２  前壁
１３  後壁
１４  第２側壁
１５  第１側壁
１６  収納スロット
１７  突出部
２１  固定部
２２  半田接続部
２３  弾力部
２４  第１接触部
２５  連接部
３１  弾力端子
３２  保持端子
４１  当接部
４２  挿入部
１００  オーディオコネクタ
１０１  定位孔
１１１  第１挿入スロット
１２１  開口部
１３１  第３溝
１４１  第２挿入スロット
１６１  第１溝
１６２  第２溝
１７１  定位孔
２００  相手コネクタ
２１１  凸状部片
３１１  固定部
３１２  第１凸状部片
３１３  第２凸状部片
３１４  弾力ビーム
３１５  半田接続部
３２１  固定部
３２２  折り曲げ部
３２３  突出ビーム
３２４  半田接続部
３１４１  第２接触部
【図１】
0003129004.tif 000003
【図２】
0003129004.tif 000004
【図３】
0003129004.tif 000005
【図４】
0003129004.tif 000006
【図５】
0003129004.tif 000007